(57)【特許請求の範囲】
【請求項１】
画像中の画素の色彩成分に対応する複数の素子を有する表示装置における電力レベル制御のための方法であって、画像フレーム又は画像フィールドの持続時間が、輝度制御に使用されるサブフィールドコードワードに対応する微小維持パルスを利用して光出力のために輝度要素がアクティブにされるところの複数のサブフィールドに分割され、一組の電力レベルモードがサブフィールド符号化に与えられ、更に、当該方法が、画像の電力レベルに特徴的な値（ＰＬ）を判定するステップ、及びサブフィールド符号化についての対応する電力レベルモードを選択するステップを有し、２つの電力レベルモードが、
−  維持周波数
−  維持パルス勾配
の一方又は双方によって互いに区別されることを特徴とする方法。
【請求項２】
電力レベルモードに対する特性サブフィールド構成が、
−  サブフィールド数
−  サブフィールド形式
−  サブフィールド位置
−  サブフィールドウエイト
−  サブフィールドプレスケール
−  サブフィールドウエイトのための因子であって、各サブフィールドの間に生成される微小パルスの量を変化させるために使用される因子
の１つ又はそれ以上に関しても変化することの可能なサブフィールド構成に属することを特徴とする請求項１記載の方法。
【請求項３】
画像の電力レベルに関する特性値（ＰＬ）が平均画像電力値であることを特徴とする請求項１又は２記載の方法。
【請求項４】
前記サブフィールドプレスケールが、どのディジタル値が１００ＩＲＥの映像レベルに割り当てられるかを決定することを特徴とする請求項２項に記載の方法。
【請求項５】
画像の電力レベルについての特性値（ＰＬ）に対応する電力レベルモード間の切替が、ヒステリシス形式のスイッチング挙動を利用して制御されることを特徴とする請求項１乃至４の何れか１項に記載の方法。
【請求項６】
ヒステリシス形式のスイッチング制御に対する電力レベルモード対画像平均電力の図に２つの平行な線が使用され、
ｉ）画像平均電力が増加する場合に、上側の線に関する電力レベルのモードが選択される；
ｉｉ）画像平均電力が減少する場合に、下側の線に関する電力レベルのモードが選択される；
ｉｉｉ）画像平均電力の変化方向が変わる場合に、新たな電力レベルへの切替が、画像平均電力レベルが対応する他方の下側又は上側の線に位置付けられるまで抑制される
という規則が適用されることを特徴とする請求項５記載の方法。
【請求項７】
画像中の画素の色彩成分に対応する複数の素子を有する表示装置における電力レベル制御のための装置であって、画像フレーム又は画像フィールドの持続時間を、輝度制御に使用されるサブフィールドコードワードに対応する微小維持パルスを利用して光出力のために輝度要素がアクティブにされるところの複数のサブフィールドに分割する制御装置が設けられ、当該装置が、画像電力測定回路及びサブフィールド符号化装置を有し、サブフィールド符号化のための電力レベルモードのテーブルが前記制御装置に格納され、前記画像電力測定回路が画像の電力レベルに特徴的な値を判定し、前記制御装置がサブフィールド符号化に対応する電力レベルモードを選択し、ある電力レベルモードから別のものに切替を行う場合に、前記制御装置が、以前の電力レベルモードに比較して変化した、
−  維持周波数
−  維持パルス勾配
の一方又は双方を有する維持パルスを与えることを特徴とする装置。
【請求項８】
前記制御装置が、ディスプレイを駆動するためのエネルギ復元回路における制御可能なスイッチの開閉する時間を変更し、維持パルスを変化させる又は維持パルス勾配を変化させることを特徴とする請求項７記載の装置。
【請求項９】
電力レベルモードの前記テーブルが、可能な画像電力値各々についての完全な一組の電力レベルモードを含み、最大画像電力値が、維持パルスの最小数及びサブフィールドの最大数を有する電力レベルモードを割り当て、維持パルス数が、画像電力値に依存する数式に従って計算され、その結果得られる維持周波数が安定的な周波数の所定の範囲を超える場合に、次に少ないサブフィールド数の電力レベルモードが割り当てられることを特徴とする請求項７又は８記載の装置。
【請求項１０】
電力レベルモードの前記テーブルが、基本電力レベルモード各々について異なる維持周波数及び／又は維持パルス勾配、基本電力レベルモード及び別の電力レベルモードの減少した組み合わせを示し、所与の電力レベル値について、前記テーブルの中で別の電力レベルモードの何れもが利用可能でない場合に、前記制御装置が、より多い維持パルス数を伴う隣接する次の基本電力レベルモードを選択し、前記維持パルス数は画像電力値に依存する数式に従って計算され、入力画像データの修正はプレスケール装置にて行われることを特徴とする請求項７又は８記載の装置。
【請求項１１】
所与の画像電力値ＰＬに対して維持パルス数Ｎｓｕｓを計算する前記数式が、
【数１】
0004642319.tif 000013
であり、Ｎｍｉｎは、完全な白色画像を表示する場合にパネルの許容される最大電力消費による、維持パルスの最小数であり、ＰＬｍａｘは完全な白色画像に対応する可能な最大電力レベル値であることを特徴とする請求項９又は１０記載の装置。
【請求項１２】
補正因子が、測定された画像電力値に対応する維持パルスの名目的な数と、選択された隣接する基本電力レベルモードの維持パルス数との間の比率であることを特徴とする請求項１０記載の装置。
【請求項１３】
前記制御装置が、電力レベルモード切替制御に関するヒステリシス曲線に従うことを特徴とする請求項７乃至１２の何れか１項に記載の装置。
【請求項１４】
プラズマディスプレイ装置である表示装置に設けられることを特徴とする請求項７乃至１３の何れか１項に記載の装置。
【発明の詳細な説明】
【０００１】
本発明は、表示装置の電力レベル制御のための方法及び装置に関連する。
【０００２】
特に、本発明は、プラズマ表示パネル（ＰＤＰ）のようなディスプレイ、及び光放出のデューティサイクル変調（パルス幅変調）の原理を利用する全種類のディスプレイに表示される画像の画像品質を改善するための画像処理に関連する。
【０００３】
［背景技術］
プラズマディスプレイ技術は、視聴する角度を制約することなしに、大型且つ薄型のフラットカラーパネルを形成することを可能にする。ディスプレイのサイズは、それまで許容されていた従来のＣＲＴ画像管よりも非常に大きくなり得る。
【０００４】
最近の世代の欧州のＴＶセットを参照するに、その画像品質を改善するための多大な努力がなされている。そして、プラズマディスプレイ技術のような新技術で構築されるＴＶセットは、非常に良好な又は旧式のＴＶセットよりも優れた画像を提供することが非常に強く求められる。
【０００５】
映像に関する１つの重要な品質基準は、ピークホワイトエンハスメントファクタ（ＰＷＥＦ：Ｐｅａｋ  Ｗｈｉｔｅ  Ｅｎｈａｎｃｅｍｅｎｔ  Ｆａｃｔｏｒ）である。ピークホワイトエンハスメントファクタは、一様な白色フィールド／フレームの輝度に対する、ピークホワイト輝度レベルの間の比率として定義され得る。ＣＲＴを利用するディスプレイは、６つまでのＰＷＥＦ値を有するが、目下のプラズマディスプレイパネル（ＰＤＰ）は、わずか４つ程度のＰＷＥＦ値を有するに過ぎない。したがって、このため、ＰＤＰの画像品質は最良ではなく、この状況を改善することが必要とされる。
【０００６】
ＰＤＰの第１世代は、約２のピークホワイト最大平均輝度比率（完全な白色画像）を有することで特徴付けられていた。サブフィールドの動的制御を利用することで、最近では４／５程度の比率を達成するよう改善されている。
【０００７】
本質的にディジタルであるプラズマディスプレイ技術は、ＣＲＴに使用されているものとは異なる技術を必要とする。ＣＲＴはいわゆるＡＢＬ回路（平均ビーム電流リミッタ）を利用し、これは、通常は画像コントローラ内のアナログ手段によって実現され、通常はＲＣステージで測定される平均輝度の関数として画像利得を減少させる。
【０００８】
プラズマディスプレイパネルは、「オン（ｏｎ）」又は「オフ（ｏｆｆ）」のみであり得るところの放電セルの行列配列を利用する。また、光放出のアナログ制御によってグレイレベル（ｇｒａｙ  ｌｅｖｅｌ）が表現されるＣＲＴ又はＬＣＤとは異なり、ＰＤＰは、フレーム当たりの光パルス（維持パルス（ｓｕｓｔａｉｎ  ｐｕｌｓｅ））の数を変調することでグレイレベルを制御する。眼は、眼の応答時間に対応する周期にわたって、この時間変調（ｔｉｍｅ−ｍｏｄｕｌａｔｉｏｎ）を統合する。
【０００９】
映像振幅は、所与の周波数で生じる光パルス数を決定するので、多くの振幅は多くのアイパルス（ｅｙｅ  ｐｕｌｓｅ）となり、多くの「オン」時間となる。このため、この種の変調は、ＰＷＭ、パルス幅変調として知られている。このＰＷＭの原理を利用するため、各フレームは、「サブフィールド（ｓｕｂ−ｆｉｅｌｄ）」と呼ばれる２次的周期に分解される。小さな光パルスを生成するために、ガス充填セル内でプラズマと呼ばれる電気的な放電が生じ、生成されたＵＶ放射は、光を放出する着色された燐光体（ｐｈｏｓｐｈｏｒ）を励起させる。
【００１０】
どのセルが発光すべきかを選択するために、「アドレッシング」と呼ばれる第１の選択された動作により、発光すべきセルへのチャージが行われる。各プラズマセルは、長時間の間電荷を維持するキャパシタとして考えることが可能である。以後、発光期間の間に行われる「維持（ｓｕｓｔａｉｎｉｎｇ）」と呼ばれる一般的な動作が、セル内のチャージを加速し、更なる電荷を生成し、セル内の電荷の一部を励起させる。第１の選択された動作の間にアドレスされたセル内でのみ、この電荷の励起が行われ、励起された電荷がそれらのニュートラルな状態に戻る際にＵＶ放射が行われる。ＵＶ放射は光放出用の燐光体を励起させる。そのセルの放電は、非常に短期間に行われ、セル内の電荷の一部が残存する。次の維持パルスと供に、この電荷はＵＶ放射を行うために再び使用され、次の光パルスが生成される。各々のサブフィールの維持期間全体の間に、セルは小さなパルスで発光する。最終的に、消去動作により総ての電荷が除去され、新たなサイクルに備える。
【００１１】
より多くの維持パルスは、より多くのピーク輝度に関係する。より多くの維持パルスは、ＰＤＰで使用する多くの電力にも関係する。ＰＤＰ制御は、平均画像電力の関数として、より多い又はより少ない維持パルスを生成することが可能であり、すなわち、それは、画像内容に依存して、異なる電力レベルを有するモードの間で切り替えることが可能である。維持パルスの傾斜又は勾配の増加は、（非線形な）より多くの輝度にも関係する。
【００１２】
主目的は、電力供給回路に過度の負担を与えることなしに、コントラスト比率を最適化することである。更に、全体的な画像品質は、グレイスケール判定（ｒｅｎｄｉｔｉｏｎ）に使用されるサブフィールド数に関連付けられる。この数が大きくなると、画像品質がより良好になる。しかしながら、各サブフィールドは、何らの維持（サステイン）もなされないアイドル時間（デスタイム（ｄｅａｔｈ−ｔｉｍｅ）を導入する。サブフィールド数が増加すると、利用可能な最大サステイン数が減少する。このため、画像の輝度を最適化するための強力な対策がなされる必要がある。
【００１３】
例えばＷＯ  ００／４６７８２のような本出願による過去の欧州特許出願では、平均画像電力の関数としてより多い又はより少ない維持パルスを生成する制御方法による解決手段が開示され、それはすなわち異なる電力レベルを有する様々なモードを切り替える。この制御方法は、一組の電力レベルモードがサブフィールド符号化に与えられることで特徴付けられ、各電力レベルに対して、特性サブフィールド構成（ｃｈａｒａｃｔｅｒｉｓｔｉｃ  ｓｕｂ−ｆｉｅｌｄ  ｏｒｇａｎｉｚａｔｉｏｎ）が、１つ又はそれ以上の以下の属性に関して変化することの可能なサブフィールド構成に所属し、それらは：
−  サブフィールド数
−  サブフィールド形式
−  サブフィールド位置
−  サブフィールドウエイト
−  サブフィールドプレスケール
−  サブフィールドウエイト用の因子であって、各サブフィールドの間に生成される小パルスの量を変化させるのに使用される因子
である。
【００１４】
［特許文献１］
国際公開第００／４６７８２号パンフレット
［発明の概要］
本発明は、動的なＰＷＥＦ制御方法及び装置を更に改善することを目的とする。この目的は、請求項１及び７に規定される方法及び装置によって達成される。
【００１５】
より効率的なピークホワイト回路は、より多くの利用可能な離散電力レベルモード数を要する。離散的な電力レベル数は、より多くの自由度が利用される場合に増加させることが可能であり、すなわち、維持周波数及び／又は維持パルス勾配の最適制御と供に、サブフィールドの更なる動的制御を行う場合である。
【００１６】
従来のサブフィールドパラメータ変化に加えて、上述したような維持周波数の動的制御により、８つ又はそれ以上のＰＷＥＦが達成可能になる。
【００１７】
維持周波数は、過去には、総てのプラズマディスプレイサプライヤにより一定に維持されていた。このことは、更なる不利益をもたらし、限定された数の離散電力レベルのみしか許容されず（約２０）、低品質のグレイスケールレベルの描写を許容することとなる。これは、ほとんどの電力レベルに対して、相対的なサブフィールドウエイトを適切に維持しつつ、利用可能なサブフィールド数に、利用可能な個々の維持数を分配することが困難であることに起因していた。
【００１８】
更に、完全な画像品質（パネルの何らのポンピング（ｐｕｍｐｉｎｇ）もフラッシュもないこと）を保証するためには、輝度レベル選択制御におけるヒステリシス回路を利用することを要する。
【００１９】
更に、本発明は、表示装置の電力制御のための装置を形成する。本発明の形成する装置は、サブフィールド符号化のために制御装置（１１）内に電力レベルのテーブル（２７）を格納し、画像電力測定回路（１０）が画像の電力レベルに特徴的な値を判定し、制御装置（１１）がサブフィールド符号化のための対応する電力レベルモードを選択する。ある電力レベルモードから別のものに切替を行う場合に、制御装置（１１）が、以前の電力レベルモードに比較して変化した、
−  維持周波数
−  維持パルス勾配
の一方又は双方を有する維持パルスを与える。
【００２０】
多くのエネルギを有する画像（例えば、完全な白色ページ）は、全体的な電力消費を削減するために、低い輝度で表示され得る。この輝度は、パネルの最大電力消費を示す。当然ながら、画像がより少ないエネルギで処理される場合には、電力供給に過剰な負荷を与えずに、より多くの輝度を生成することが可能になる（同一の電力消費）。
【００２１】
有利な発明方法及び発明装置の更なる態様は、各自の従属請求項に記載される。
【００２２】
本発明の実施例は、図面に示され、以下に詳細に説明される。
【００２３】
［実施例］
いわゆるマトリクスプラズマ表示技術におけるプラズマセルの原理的な構造が、図１に示される。参照番号１０は、ガラスより成るフェースプレートを示す。参照番号１１により、透明なライン電極が示される。パネルのバックプレートは参照番号１２により参照される。フェース及びバックプレートを互いに絶縁するための２つの誘電体層１３が設けられている。バックプレートに集積される着色電極１４は、ライン電極１１と直角である。セルの内側部分は、発光体１５（燐光体）、及び異なる色の発光材料（緑１５Ａ）（青１５Ｂ）（赤１５Ｃ）を分離するためのセパレータ１６より成る。放電によるＵＶ放射は、参照番号１７により示される。緑の燐光体１５Ａから発する光は、参照番号８を有する矢線で示される。ＰＤＰセルのこの構造から、３色成分ＲＧＢに対応して、表示される画像の画素（ピクセル）の色彩を作成するために必要な、３つのプラズマセルが存在することは明白である。
【００２４】
画素の各Ｒ，Ｇ，Ｂ成分のグレイレベルは、フレーム周期当たりの光パルス数を調整することで、ＰＤＰにて制御される。人間の眼の応答に対応する期間にわたって、眼はこの時間変調（ｔｉｍｅ  ｍｏｄｕｌａｔｉｏｎ）を統合する。最も効率的なアドレシング手法は、生成される映像レベル数がｎに等しい場合に、ｎ回アドレスすることである。従って、一般的に使用される映像レベルの８ビット表現の場合に、プラズマセルは２５６回アドレスされるべきである。しかしながら、アドレスする各々の動作は、２５６の総てのアドレシング動作には多くの時間を必要とし（ライン当たり約２μｓ＞１アドレシング期間当たり９６０μｓ＞２４５ｍｓ）、これは５０Ｈｚ映像フレームに利用可能な２０ｍｓ期間よりも大きいので、それは技術的に困難である。
【００２５】
より効率的な異なるアドレシング手法が、文献により知られている。そのアドレシング手法によれば、１フレーム期間のサブフィールド構成に最低限８つのサブフィールドが使用される（８ビット映像レベルデータワードの場合）。これら８つのサブフィールドを組み合わせることで、２５６個の異なる映像レベルを生成することが可能である。このアドレシング手法は図２に示される。この図では、各色彩成分についての各映像レベルが、以下の重み付け（ウエイト）と供に８ビットの組み合わせによって表現される：
１／２／４／８／１６／３２／６４／１２８。
【００２６】
ＰＤＰ技術と供にそのような符号化を実現するために、フレーム期間は８つの発光する期間（サブフィールドと言及される）に分割され、その各々が、対応するサブフィールド符号ワード内のビットに対応する。ビット「２」についての光パルス数は、ビット「１」に関するものとして記される、等々。これら８つの副次的期間を利用して、サブフィールド組み合わせを通じて、２５６のグレイレベルを構築することが可能である。このグレイレベル変調を行う基本的な原理は、ＡＤＳ（Ａｄｄｒｅｓｓ／Ｄｉｓｐｌａｙ  Ｓｅｐａｒｅｔｅｄ）原理に基づいており、パネル全体において総ての動作が異なる時間に実行される。図２の下側に、このアドレシング手法における各サブフィールドは、３つの部分、すなわちアドレシング期間、維持期間及び消去期間より成ることが示されている。
【００２７】
ＡＤＳアドレシング手法では、総ての基本サイクルは交互に続く。先ず、パネルの総てのセルが１つの期間内で書き込まれ（アドレスされ）、その後に総てのセルが発光させられ（維持され）、最後に総てのセルが供に消去される。
【００２８】
図２に示されるサブフィールド機構は単なる例示に過ぎず、例えばより多くのサブフィールド及び様々なサブフィールドウエイトを利用する、非常に様々なサブフィールド機構が文献により知られている。より多くのサブフィールドは、動きアーチファクト（ａｒｔｉｆａｃｔ）を減少させるために使用され、「プライミング（ｐｒｉｍｉｎｇ）」は、応答忠実度（ｒｅｓｐｏｎｓｅ  ｆｉｄｅｌｉｔｙ）を増加させるためにより多くのサブフィールドにて使用され得る。プライミングは別個の選択的な期間であり、そこではセルが充電又は放電される。この電荷は小さな放電を導出することが可能であり、すなわち原則として望まれない背景光を生成し得る。プライミング期間の後に、その電荷を直ちに抑制するための消去期間が続く。これは、再びアドレスされるのにセルが必要とする場合に、後続のサブフィールド期間に必要とされる。そのようなプライミングは、後続のアドレシング期間を支援するところの、すなわち総てのセルを同時に規則的に励起することで書込み段階の効率を改善するところの期間である。
【００２９】
アドレシング期間の長さは、総てのサブフィールドについての消去期間の長さにも等しい。アドレシング期間では、セルは、ディスプレイのライン１からラインｎまでのようにライン形式でアドレスされる。消去期間では、総てのセルは一度に（ワンショットで）並列に放電させられ、アドレシングのように多くの時間はかからない。図２の例は、アドレシング、維持及び消去の総ての動作が、完全に別々の時間に分離されている。ある時点にて、総てのパネルについて、これら動作のアクティブな１つが存在する。
【００３０】
図３は、ＰＷＥＦ＝８の場合のＰＤＰにおける基本的な電力管理の様子を示す。最良のコントラスト比を示しつつ電力消費を安定にするために、画像の負荷に依存して、放出される光量が変更される。明らかに、ＰＤＰスクリーンが完全な白色画像を表示する場合には（図３の左側）、その輝度は視覚フィールドの非常に大きな部分で表示されるので、輝度に関する良好な印象を得るために少量の輝度しか眼に必要とされない。一方、ＰＤＰスクリーンが低エネルギの画像を表示する場合には（図３の右側）、眼にとってコントラスト比は非常に重要である。この場合には、利用可能な最高の白色輝度が、そのような画像に出力され、コントラスト比（画像の黒色及び白色分の間の比率）を増進させるべきである。
【００３１】
この概念は、画像内容に依存して白色輝度を変更することに導く。しかしながら、ポンピング（画像輝度の振動）又はフラッシング（知覚可能になる白色輝度の強い変化）のようなアーチファクトを生成しないようにするために、円滑な遷移を可能にするために多くのモードを規定する必要があり、それらの制御がヒステリシスループを通じてなされるようにする必要がある。
【００３２】
このため、電力レベルＰＬが、各映像について計算され、電力モードＰＭを表示する電流を選択するために使用される。１つの可能なＰＬ計算例は、次式で与えられ：
【数２】
0004642319.tif 000002
ここで、Ｒｘ，ｙは位置（ｘ，ｙ）における画素からの赤色成分の振幅を表現し、Ｎはそのフレームに含まれる基本セルの全体数（色彩成分、ＲＧＢ画像についてＮ＝３）を表現する。
【００３３】
図４では、単独のヒステリシス関数を利用して計算される電力レベル（ＰＬ）に依存する、電力モード選択（ＰＭ）の動的制御例が示される。予想されるように、画像電力レベルＰＬが増加する場合に、維持パルス数を減少させるモードが選択される。制御関数におけるヒステリシスループが存在する。画像平均電力が増加する場合に、上部のラインにおける電力レベルのモードＰＭが選択される。画像電力が減少すると、下側のラインにおける電力レベルのモードＰＭが選択される。２つのラインの間の地点は、画像平均電力の進展方向が変更される場合に選択され得る。更に、このような電力レベル制御方法の内容については、上述の特許出願ＷＯ  ００／４６７８２に開示されている。
【００３４】
ＡＤＳアドレス手法は既に説明済みである。説明を簡単にするため、ある可能な形態からのいくつかのスキャン値が例として使用される。明らかに、それらはパネル技術に依存するので、他の値も使用可能である。
【００３５】
その例は、以下のスキャン値に基づく：
−  １フレームが６０Ｈｚで５５００基本サイクル（ＢＣ）を包含する。
−  １つのサブフィールドのアドレシングは２４０基本サイクルの持続時間を有する。
−  １つの消去は７０基本サイクルを費やす。
−  （各フレームの開始時にのみ必要とされる）１つのプライミングは５５基本サイクルを費やす。
【００３６】
図５は、１２のサブフィールド、及びフレーム期間開始時の１つのプライミング／消去動作に関するＡＤＳアドレシング手法に基づく、サブフィールド構成を示す。
【００３７】
このようなスキャニングの実現化は、以下のコストを有する：
−  アドレシング：  １２×２４２＝２８８０  ＢＣ
−  プライミング：  ５５  ＢＣ
−  消去：  １２×７０＝８４０  ＢＣ。
【００３８】
従って、この例では、維持パルスを生成するために、５５００−２８８０−５５−８４０＝１７２５ＢＣが自由である。一方、サブフィールド数を削減するならば、より多くの基本サイクルが光を形成するのに利用可能である。他方、サブフィールドを増加させるならば、より少ない基本サイクルが光を形成するために利用可能である。
【００３９】
更に、多くのエネルギを有する画像は、動きアーチファクト及びグレイスケール判定にて非常に顕著である。従って、より多くのサブフィールドがこの種の画像に必要である。
【００４０】
これら総ての結果により、サブフィールド構成におけるサブフィールド数の変化に基づく、異なる電力レベルモードの改善が行われる。以下のテーブルは、電力レベルモードの骨子（スケルトン（ｓｋｅｌｅｔｏｎ））の可能な第１の定義を示す：
【表１】
0004642319.tif 000003
モードＭ１は、多くのエネルギを有する画像（完全な白色）に使用され、主に移動アーチファクトに関する最高の画像品質を必要とする。画像エネルギが減少すると、他のモードが徐々に選択される。上記のテーブルでは、７つの異なるモードが用意されるが、モード間のステップは依然として大きい（≒３００  ＢＣ）ので、良好な画像電力管理を保証するには充分でない。次のパラグラフでは、より多くのモードを定義するために、上記のテーブル内の粗い電力レベルスケルトンがどのようにして緻密化されるかが説明される。
【００４１】
上記テーブルの７つの異なるモードは、様々なプラズマ製造業者により現在充分に確立されている技術、すなわちピークホワイトエンハスメントについてのサブフィールド構成における多数の様々なサブフィールドを利用して容易に実現されることが可能である。これらのモードを緻密化する（ｒｅｆｉｎｅ）新規な思想をより良く理解するために、先ず、ＰＤＰにおける光放出プロセスを詳細に説明することが有益である。
【００４２】
総てのプラズマ表示技術はガス放電に基づいている。説明を簡単にするため、説明されるものは、今日主に使用されている交流プラズマ表示技術（ＡＣプラズマパネル）に着目している。しかしながら、本明細書にて説明される基本原理の総ては、ＤＣプラズマパネルにも適用され得る。
【００４３】
ＡＣプラズマディスプレイでガス放電を行うために、図６に示されるように、光放出（プラズマ放電）を行うための、交互の方形波がパネルセルの２つの電極（コプレナ型プラズマ表示パネルの場合にはサステイン電極）に印加される。パネルセル毎の電極の位置は、表示技術毎に異なるが、その原理は常に同一である。四角形の維持パルスは、図６の上側部分に示される。サステイン電極間の極性は、四角形の維持パルスと供に周期的に切り替えられる。図６の下型には、プラズマセル内のガス状態が描かれている。維持パルスの極性が変化した直後に、ガス放電が行われ、ＵＶ光が生成され、光パルスを放出するために燐光材料が励起される。
【００４４】
各維持パルスの持続期間は、維持パルスの量を決定し、それは、維持するために拘束されずに留まる時間に依存して、フレーム期間毎に形成され得る。これは、維持パルスの周波数をも決定する。一般に、良好なパネル応答判定を可能にする良好なサステイン機能を保証するために、最小限の維持パルス持続時間が存在する。この最小時間は図６の上側部分に示され、図中にて維持パルスの約半分である。サステイン持続時間の残りは、パネルの挙動に対する維持周波数を調整するために使用され得るマージンを形成する。図６の下側部分にて、ガス放電ピークが維持パルス毎に時間的に僅かに変化し得ることが見受けられる。時間Ｔｍｉｎ内にて、ガス放電及び対応する光放出は、高い信頼性で行われる。
【００４５】
各パネルは、その挙動が非常に安定的な領域を有する。安定的なパネル挙動は、例えば、１２０ｋＨｚ及び１８０ｋＨｚの間の維持周波数で保証され得る。その領域では、光効力（ルーメン／ワット）はこの例で最良のものと考えられる。今日、この領域における固定周波数（例えば、１５０Ｈｚ）は、後述するエネルギ復元回路を最適化するために使用される。
【００４６】
ＡＣプラズマディスプレイは、維持パルスを生成するための特別の離散維持回路を必要とする。ＰＤＰセルは容量として考えられ得るので、各セルに導入される容量損失（１／２×Ｃ×Ｖ２）は、パネル容量を変化させる又は放電させる維持回路における多くの電力損失を導入する。このことは、多くの製品用途（例えば、完全な白色ローディング（ｌｏａｄｉｎｇ））に対して許容されず、大きな対角パネルに対してはより大きくなる。幸運にも、図７に示される回路のようなエネルギ復元回路を利用することで、このエネルギの９０％以上が復元される。要するに、パネルのプラズマセルは、チャージされる又は光生成のために放電される必要のあるキャパシタＣｐとして考察されることが可能である。対応するキャパシタＣｓｓは、図７上側のエネルギ復元回路にて、放電の際のパネル容量の電荷を格納するために設けられる。２つのダイオードＤ１及びＤ２は、制御可能なスイッチＳ１及びＳ２の手段によってセル容量Ｃｐの充電及び放電経路にて切り替えられる。また、インダクタＬも、エネルギ復元回路の充電及び放電経路内にある。インダクタＬ及びキャパシタＣｐは、周期的な充電及び放電プロセスに最適な特定の共鳴周波数を有する。供給電圧Ｖｃｃ及びグランドは、制御可能なスイッチＳ３，Ｓ４を通じて充電及び放電経路に接続される。これらは、充電及び放電期間における必然の損失を補償するために使用される。図７の下側部分には、図７の左上に示される維持ドライバ回路を利用して、正の極性の維持パルスが、どのようにして生成されるかが示される。キャパシタＣｐに関する電圧降下及びキャパシタＣｐに関して流入及び流出する電流が、別々に示されている。コントローラは、位相（１）乃至（４）に示されるように、スイッチＳ１乃至Ｓ４を切り替える。
【００４７】
対応する維持ドライバは、パネルの右側に設けられる（詳細には図示せず）。この回路の詳細については、このエネルギ回路が知られるところの文献を参照されたい。
【００４８】
基本的な動作原理は、スイッチの損失性の抵抗を利用する代りに、インダクタＬを通じてパネル容量を充電及び放電することである。維持波形の基本形は依然として方形パルスであるが、方形パルスの上昇する及び下降するエッジが、インダクタＬ及びパネル容量Ｃｐによって決定される共鳴周波数を有するところの正弦波の一部として現れる。上述したように、この回路は、今日のＰＤＰにて選択される維持周波数に最適化される。
【００４９】
上述のテーブルに提示されるものと同様なスケルトンを利用して、より多くの電力モードを設けるために、本発明に従って維持パルスの長さが変更され、同時にそのことはより多くの又はより少ない維持パルスを生成することを可能にする。明らかに、限界Ｔｍｉｎ以下に維持パルスの持続時間を減らさないよう配慮する必要がある。
【００５０】
加えて、線形モードの定義（ｄｅｆｉｎｉｔｉｏｎ）を保証するために、安定的なパネル挙動（同じ効力（ｅｆｆｉｃａｃｙ））に関する維持周波数領域に留まるよう配慮すべきである。本実施例では、このことは、１２０ｋＨｚ及び１８０ｋＨｚの間の維持周波数領域に留まることを意味する。
【００５１】
また、固定された維持周波数（以前は１５０ｋＨｚ）ではなく、１２０ｋＨｚ−１８０ｋＨｚの完全な領域に対して最適化するために、エネルギ復元回路を修正する必要もある。１つの直接的な解決手段は、例えば、様々な周波数及び対応するセレクタに使用される回路にて、より多くの異なるインダクタを利用することである。
【００５２】
例えば以下の仮定を行うことで、新たな概念が説明される：
１つの基本サイクルＢＣは１５０クロック期間に対応する。
【００５３】
１５０Ｈｚにて、１つの維持サイクル（正及び負の維持パルス）が３００クロック期間に対応する。
【００５４】
維持周波数の変化を通じて新たなサブモードを加えることで、上記テーブルにおける電力レベルのスケルトン（骨子）を緻密化することが可能になる。維持周波数の制御は図８に示される。位相（２）は、図示されるように、維持周波数減少のために延長され、又は維持周波数増加のために短縮される。これは、スイッチＳ１乃至Ｓ４を制御するコントローラによって簡易になされ得る。
【００５５】
表２では、新たに生じる電力レベルモードが列挙されている。テーブル２から理解されるように、利用可能なサステイン数は、３３８（Ｍ１．１）から１５７６（Ｍ７．１８）まで徐々に及び線形に増加している。これら様々なモードは、モード間のステップを緻密化するために、サステイン持続時間を取り扱うことで（クロッ期間で測定される）、テーブル１における基本モードから導出される。
【００５６】
総てのモードについて良好なパネル線形性が要求されるので、維持周波数は領域［１２０；１８０］に留まることが想定される。
【００５７】
【表２】
0004642319.tif 000004
この例では、最低の維持周波数は１２１ｋＨｚであり、最高のものは１７９ｋＨｚである。更に、維持パルスを作成するために多くの時間が利用可能であり、１２０ｋＨｚ及び１８０ｋＨｚの間の総ての周波数が実際に利用され得るので、９サブフィールドに関する基本モードについて、より多くのサブモードが規定されていることが、テーブル２から明白である。
【００５８】
先のパラグラフでは、パネル挙動が安定的である領域にて維持周波数変更を行うことは、電力レベルモードを緻密化することを可能にすることが、説明された。これは、その新たな制約に従うように適合されたエネルギ復元回路を要する。
【００５９】
低エネルギの映像内容（ピークホワイト画像）を有する画像についてのパネルのコントラストを更に改善することを希望するならば、以下のことに留意すべきである。そのような画像については、パネルの負荷は非常に低く、このことは、エネルギ復元回路はそのようなモードに対して完全に最適化されることを要しないことを意味する。更に、そのようなモードについては、ビットレスパネル効力（ｂｉｔ  ｌｅｓｓ  ｐａｎｎｅｌ  ｅｆｆｉｃａｃｙ）及び線形性を有することが可能である。以上により、より多くの電力レベルモードを規定するために、維持周波数を更に増加させる（サステイン持続時間を減少させる）ことが許容される。唯一の制約は、良好なパネル応答判定を保証するために、サステイン持続時間をＴｍｉｎより長くすることである（１００％発光）。
【００６０】
【表３】
0004642319.tif 000005
上記のテーブル３は、リミットＴｍｉｎが２６５Ｈｚの最大周波数に関するものに等しい、との仮定の下に提案される付加的な電力レベルモードを列挙する。
【００６１】
テーブル３から理解されるように、２２個の新たなモードが、１６０８（Ｍ８．１）から２３００（Ｍ８．２２）まで徐々に線形に増加する利用可能なサステイン数と供に付加されている。この維持周波数は１８３ｋＨｚから２６２ｋＨｚまで増加する。
【００６２】
図９は、輝度（ｃｄ／ｃｍ２）の変化（下側の線）に対する全６４モードについてのサステイン数の変化（上側の線）を示す。横軸にモード数が示され、縦軸にサステイン数及び輝度がそれぞれ示される。図９は、検査されたあるＰＤＰの挙動例を示す。このグラフにて、安定的な周波数挙動の領域外では、パネルの光効力はビットを減少させ、サステイン数変化の線形性からの正の小さな偏移（ｄｅｖｉａｔｉｏｎ）が存在するが、これは依然として電力管理の範疇に適合していることが、理解される。これは単なる例であり、異なるパネル技術に関しては、安定的な領域外でその挙動は異なり得る。
【００６３】
先のパラグラフでは、維持周波数の変化が多数の電力モードを規定させ得ることが説明された。そのモードは、画像にて測定される電力レベルＰＬに依存して選択される必要がある。
【００６４】
画像の電力は、既に示された以下の数式に従って、画像中の画素のＲＧＢ値の８ビット数に基づいて測定される：
【数３】
0004642319.tif 000006
この数式により、ＰＬ値もまた８ビット数で表現され得ることが明白である。測定されたＰＬ値に依存して、モードが選択される必要がある。電力レベルは、供給電力の最大電力消費が決して超過しないという制約の下に選択される。このため、パネルの最大電力消費が何であるかが決定される必要がある。当然ながら、最大電力消費は、パネル全体が完全な白色ページを表示する場合におけるものである。この完全な白色ページはＰＬ＝２５５に割り当てられる。
【００６５】
本実施例にて、テーブル２のモードＭ１．１に対応する３３８の維持パルス及び１２１ｃｄ／ｃｍ２の輝度で、その画像を表示することを想定する。これは、最高のサブフィールド数１５及び最低の維持パルス数を有するモードである。この場合に、パネルの電力消費は、パネルのサイズに及び維持パルス数の二乗に比例し：Ｐｍａｘ＝ｋ・８５２・４８０・３３８２、但しＰＤＰサイズが８５２画素掛ける４８０ラインであるとする。これは、それに従って特定される必要のある供給電力にて流れる最大エネルギを示す。全２５５の可能なＰＬについて、パネルの最大電力消費に関連するモードが定められる必要がある。このモードは、測定されたレベルＰＬと所望のサステイン数Ｎｓｕｓとの間の関係を与える数式を利用して決定され得る。そのような関係式の例は、次式に与えられる：
【数４】
0004642319.tif 000007
同様な形式の他の関数を代替的に利用することも可能である。
【００６６】
電力レベルモード選択プロセスは、
【数５】
0004642319.tif 000008
の例を通じて、より明確になるであろう。このサステイン数を厳密に表現するモードはテーブル２に存在しない。電力供給に過剰な負荷をかけないように、より多くのサステイン数を与えるモード（Ｎｓｕｓ＝７２９のＭ４．２）を選択し、画像内容に補正因子（プレ・スケーリング関数）を適用することによって画像内のエネルギを僅かに修正する。本実施例では、補正因子は７１８／７２９＝０．９８であり、当初の画像は次式のように修正される：
【数６】
0004642319.tif 000009
ここで、
【外１】
0004642319.tif 000010
は、赤色成分及びＲｘ，ｙ総ての当初の赤色値の表示される値を示す。
【００６７】
このプレスケーリング関数により、以前に計算したモードを更に緻密化することが可能になる。本明細書にて与えられる数値は例としてのみ取り扱われる点に留意を要する。
【００６８】
先のパラグラフでは、異なる電力レベルモードを修正するために、補正因子をどのようにして役立てることができるかが説明された。明らかに、プレスケーリング関数を利用することなしに、所望の電力レベルを直接的に計算することも可能である。その場合には、利用可能な電力レベルＰＬの数に依存して、電力モードスキャンのテーブルが直接的に計算される。
【００６９】
以下の仮定と供に具体例がテーブル４に示される：
−  完全な白色画像は３３８維持パルスと供に表示される。
−  維持パルス数及び測定されたＰＬ値の間の関係は、次式で与えられる：
【数７】
0004642319.tif 000011
テーブル４は、そのようなモード定義が同様であることを例示する（テーブルのサイズを小さくするために少数のＰＬレベルが示されており、示されていない値は上記の数式を利用して容易に導出され得る。）。
【００７０】
このテーブルでは、維持周波数は維持サイクルの周波数である。また、サステイン持続時間は、完全な維持サイクルの持続時間である。更に、サステイン数は維持サイクルの数であるが、光パルスの数ではない。
【００７１】
テーブルにおける値は次のようにして計算される。最初のステップにて、所与の電力レベル値ＰＬに対するサステイン数が上記の数式に従って計算される。
【００７２】
【表４】
0004642319.tif 000012
次のステップにて、目下の基本モードについての基本サイクルのフリー数（ｆｒｅｅ  ｎｕｍｂｅｒ）に従って生じる維持周波数が、１２０及び１８０ｋＨｚの間の許容範囲内にあるか否かが検査される。範囲内になければ、より小さいサブフィールド数を有する次の基本モードが使用される。テーブル４内の灰色のセル（ｇｒｅｙ  ｃｅｌｌ）は、パネルの線形領域外（本実施例では）及び許容される維持周波数外のモードを示す。先のこのテーブルは具体例であり、異なるパネル形態に対して異なる値又は関数を利用することも可能である。
【００７３】
図１０は、測定された電力レベルＰＬに依存して変化するサステイン数を示す。
【００７４】
テーブル４の例では、５以下のＰＬ値について想定された具体的なモードが存在しない。というのは、維持周波数が、既に、本実施例に対する上限値（時間Ｔｍｉｎに対応する）に相当するところの２６５ｋＨｚの限界まで増加しているためである。しかしながら、この値は例であり、パネル技術に依存して変わり得る。
【００７５】
ピーク輝度エンハスメントを更に進めるために、更なる機能拡張を行う他の可能性が存在し、本発明の他の実施例により、維持パルスの勾配が修正される。
【００７６】
プラズマディスプレイのピーク輝度を増加させるために、制御可能なスイッチＳ３，Ｓ４を早期にオンにスイッチングすることで、維持パルスの傾斜又は勾配（ｓｌｏｐｅ）を増加させることが可能である。こうして、正の維持パルスの上昇する及び下降するエッジが急峻になる。この維持パルスの全持続時間が一定に維持されるならば、期間（２）は延長され、それ故に、時間Ｔｍｉｎはより高い維持周波数に関連付けられるので、許容され得る維持周波数範囲が拡張され得る。この手法に関して、約２０％のピーク輝度の増加が得られたが、ＰＤＰスクリーンにおける僅かな発光領域に対するものであることが実験値により示された。不利な点は、クロストークも増加することである。
【００７７】
図１１は、同一の維持周波数を維持しつつ、サステイン勾配を増加させた様子を示す。
【００７８】
図１２，１３では、パネル輝度へのそのようなサステイン勾配増加の影響が示される。２つの図中の各線は、２７０及び２１０ｎｓ後にスイッチＳ３，Ｓ４をそれぞれスイッチングすることに対応する。
【００７９】
図１２は、サステイン勾配時間が２７０ｎｓから２１０ｎｓ（例示的な数）に減少する場合に、同数の維持パルスに対してパネルに形成される輝度が増加することを示す。これは、図１３に示されるように、何らの不利な影響を伴わずに、パネル効力（サステイン当たりの電力消費）に生じる。
【００８０】
図１３は、２７０ｎｓから２１０ｎｓへのサステイン勾配の変化が、パネル効力をも改善することを示す。このことは、図１２で理解されるように、同数の維持パルスが、より多くの電力消費を伴わずに、より多くの光を生成することを示す。言い換えれば、維持パルス毎に生成される光パルスは、サステイン勾配の増加がなかった場合よりも強くなる。画像クロストークに関する不利な影響があるので、これは総てのモードに使用することはできない。このため、非常に高いピークホワイトエンハスメントが求められるモードについてのみ、それを使用することが好ましい。
【００８１】
本明細書で説明される電力管理手法は、４つの可能なパラメータを単独に又は組み合わせで修正する機能に基づいており、それらは：サブフィールド数、維持周波数、維持パルス勾配、及びプレスケール因子である。サブフィールド数及びプレスケール因子の修正は、既にＷＯ  ００／４６７８２に提示されている。本発明による、変化させることの可能な新たなパラメータは、維持周波数及び維持パルス勾配である。これらの新たなパラメータは、単独で又は組み合わせて使用されることが可能であり、他のパラメータ（サブフィールド数又はプレスケーリング）の１つ又は両者と組み合わせることも可能である。
【００８２】
回路形態について、２つの異なる態様が以下に説明される。維持周波数の修正は、エネルギ復元回路のコントローラによってなされる。エネルギ復元回路の可能な一形態を示す図７では、基本的には、Ｓ１及びＳ３が閉じてＳ２及びＳ４が開いている時間によって、維持パルスの長さが与えられることが理解される。当然ながら、選択されるモードに依存して、より長期の又はより短期の時間の間に、システムをその状態におくことが可能である。
【００８３】
図１４，１５はシステム全体の２つの回路形態を示す。
【００８４】
図１４では、上述した方法を実施する回路のブロック図が示される。ＲＧＢデータは、平均電力測定ブロック２０にて分析され、それは、計算された平均電力値ＰＬをＰＷＥＦ制御ブロック２１に与える。画像の平均電力値は、総てのＲＧＢデータストリームについての画素値を単に加算し、乗算される画素値の数にわたる結果を３で除算することによって計算され得る。制御ブロック２１は、内部電力レベルモードテーブル２７に問い合わせを行い、以前測定した平均電力値及び格納済みのヒステリシス曲線２８を考慮に入れる。他の制御ブロックでは、選択されるモード制御信号を直接的に生成することも可能である。それは、使用されるプレスケーリング因子（ＰＳ）、サブフィールドコード（ＣＤ）及びエネルギ復元回路に対する維持パルス持続時間（ＳＤ）を選択する。
【００８５】
サブフィールドコードパラメータ（ＣＤ）は、ＷＯ  ００／４６７８２にて説明されるように、サブフィールド数、サブフィールドの位置、サブフィールドのウエイト及びサブフィールドの形式を規定する。
【００８６】
プレスケーリング因子ＰＳを受信するプレスケーリング装置２２では、ＲＧＢデータワードが、上述のテーブル２，３に関連して説明したような、選択された電力レベルモードに割り当てられる値に規格化（ｎｏｒｍａｌｉｓｅ）される。
【００８７】
サブフィールド符号化プロセスは、サブフィールド符号化装置２３にて実行される。ここでは、規格化された画素値の各々に対して、サブフィールドコードワードが割り当てられる。サブフィールドコードワードを割り当てる１以上の可能性のあるいくつかの値は、代替的に利用することが可能である。簡単な例では、各モードについてのテーブルがあり、そのテーブルを利用して割り当てが行われるようにする。このようにして、曖昧さが回避され得る。
【００８８】
また、ＰＷＥＦ制御ブロック２１は、フレームメモリ２４内のＲＧＢ画素データの書き込みＷＲ、第２フレームメモリ２４からのＲＧＢサブフィールドデータＳＦ−Ｒ，ＳＦ−Ｇ，ＳＦ−Ｂの読み込みＲＤを制御し、制御線ＳＰを通じて直列並列変換回路２５を制御する。サブフィールドコードワードの読み込みデータは、ＰＤＰの全ラインについて直列／並列変換回路２５内に集められる。例えば、１ラインに８５４画素が存在する場合に、これは、サブフィールド周期毎に、各ラインについて、２５６２サブフィールドコードビットが読み取られる必要のあることを意味する。これらのビットは直列／並列変換回路２５のシフトレジスタに入力される。最終的に、制御ブロック１１は、ＰＤＰ２６の駆動回路を駆動するために必要な維持パルス生成用に、スキャン−、サステイン−、プライミング、消去及びスイッチングのパルスを生成する。
【００８９】
２つのフレームメモリを利用した実現化が最良になされ得ることに留意すべきである。データは、一方のフレームメモリから画素形式で書き込まれるが、他方のフレームメモリからサブフィールド形式で読み出される。完全な第１サブフィールドを読み出すことを可能にするには、総てのフレームが既にメモリに存在している必要がある。これは、２つの全フレームメモリを必要とする。一方のフレームメモリは書込みに使用され、他方は読み出しに使用され、このようにすることで不適切なデータを読み出すことを回避する。
【００９０】
説明した実施例は、電力測定及びアクション（ａｃｔｉｏｎ）の間に１フレームの遅延を導入する。電力レベルが測定され、所与のフレームの終端にて、平均電力値がコントローラに利用可能になる。しかしながら、その時点で、例えばサブフィールド符号化を修正するようなアクションを行うには遅すぎる。というのは、データが既にメモリに書き込まれているためである。
【００９１】
連続的に進行する映像に対しては、この遅延は何らの問題ももたらさない。しかしながら、シーケンス変更の場合に、明るいフラッシュが生じ得る。これは、映像が暗いシーケンスから明るいものに変化した場合に起こる。これは、電力供給に関する問題になり、極端な電力ピークを処理することができないであろう。
【００９２】
この問題に対処するため、制御ブロックは、「不適切な（ｗｒｏｎｇ）」データがメモリに書き込まれたことを検出することが可能である。制御ブロックは、人間の眼に知覚されない丸め誤差を導入するものであっても、１フレームについてのブランクスクリーンの出力に関するもの、又はそれが許容されないならば、１フレームの持続期間における全サブフィールドについての維持パルス数の著しい減少に反応する。例えば、先の例を再び参照するに、丁度メモリに書き込まれた画像の測定された平均画像電力が計算され、その結果が４６０の電力レベルに対応するが、１２２０の電力レベルを有するモードがサブフィールドエンコードに誤って使用されたならば、全サブフィールド中の総ての維持パルスの２／３を単に抑制することで、粗い補正が実行され得る。
【００９３】
図１５は、プレスケーリングを行わずに実現化する他の可能性を表現する。これは、テーブル４に基づく直接的な実現化に対応する。
【００９４】
様々なブロックに示される電子素子の全部又は一部は、ＰＤＰマトリックスディスプレイと供に集積される。また、それらは、プラズマディスプレイパネルに接続される別個の部分に設けることも可能である。
【００９５】
本発明は特にＰＤＰに使用され得る。プラズマディスプレイは、目下のところ例えばＴＶセット及びコンピュータのモニタのような家電に使用されている。しかしながら、本発明は、光出力が副次的な周期で小さなパルスで制御されるところの、すなわち光出力を制御するためにＰＷＭの原理が使用されるところのマトリクスディスプレイに広く適用することが可能である。
【図面の簡単な説明】
【図１】  図１は、マトリクス技術におけるプラズマディスプレイパネルのセル構造を示す。
【図２】  図２は、フレーム期間における従来のＡＤＳアドレス手法を示す。
【図３】  図３は、ＰＤＰにおける典型的な電力管理制御システムを示す。
【図４】  図４は、電力レベルモードの動的制御のためのヒステリシス曲線を示す。
【図５】  図５は、プライミングを含むＰＤＰのための従来のＡＤＳアドレス手法を示す。
【図６】  図６は、ＡＣプラズマセルを駆動するためのパルス及び対応する光放出ピークを示す。
【図７】  図７は、ＰＤＰ駆動回路の原理的なエネルギ復元回路を示す。
【図８】  図８は、図７のエネルギ復元回路における制御可能なスイッチの開閉時間を変更する手段による、維持周波数変化の例を示す。
【図９】  図９は、光放出の変化と比較される、異なる電力レベルモードにおける維持周波数の変化を示す。
【図１０】  図１０は、測定された画像電力レベルに関するサステイン数の変化を示す。
【図１１】  図１１は、図７のエネルギ復元回路における制御可能なスイッチの開閉時間を変更する手段による、原理的なサステイン勾配の増加を示す。
【図１２】  図１２は、パネル輝度におけるサステイン勾配増加の影響を示す。
【図１３】  図１３は、光効率におけるサステイン勾配増加の影響を示す。
【図１４】  図１４は、本発明の回路形態の第１実施例を示す。
【図１５】  図１５は、本発明の回路形態の第２実施例を示す。
【図１】
0004642319.tif 000014
【図２】
0004642319.tif 000015
【図３】
0004642319.tif 000016
【図４】
0004642319.tif 000017
【図５】
0004642319.tif 000018
【図６】
0004642319.tif 000019
【図７】
0004642319.tif 000020
【図８】
0004642319.tif 000021
【図９】
0004642319.tif 000022
【図１０】
0004642319.tif 000023
【図１１】
0004642319.tif 000024
【図１２】
0004642319.tif 000025
【図１３】
0004642319.tif 000026
【図１４】
0004642319.tif 000027
【図１５】
0004642319.tif 000028